(57)【要約】  本発明は、ＬＥＤ素子から発した光の波長を効率的に変換し、更に、波長変換後の光を効率的に取り出すことができる発光装置を提供するものであり、上端面に開口する凹部が形成された基体と、前記凹部の側面に実装されたＬＥＤ素子と、その内部に蛍光体を含有し、前記ＬＥＤ素子を封止する封止部材と、を備えているものである。
2011016439.tif 000002
【特許請求の範囲】
【請求項１】
上端面に開口する凹部が形成された基体と、
前記凹部の側面に実装されたＬＥＤ素子と、
その内部に蛍光体を含有し、前記ＬＥＤ素子を封止する封止部材と、を備えていることを特徴とする発光装置。
【請求項２】
前記凹部の少なくとも側面にリフレクタが形成されている請求項１記載の発光装置。
【請求項３】
前記凹部の中心軸に直交する断面形状が多角形である請求項１記載の発光装置。
【請求項４】
複数のＬＥＤ素子が実装されている請求項１記載の発光装置。
【請求項５】
前記凹部が、側面と底面とが直交するものである請求項１記載の発光装置。
【請求項６】
前記ＬＥＤ素子が、紫外線又は短波長の可視光線を発するものであり、
前記蛍光体が、赤色光を発する蛍光体、緑色光を発する蛍光体、及び、青色光を発する蛍光体である請求項１記載の発光装置。
【発明の詳細な説明】
【技術分野】
【０００１】
本発明は、ＬＥＤ素子から発生した光を効率的に波長変換し、更に、波長変換後の光を効率的に取り出すことができる発光装置に関する。
【背景技術】
【０００２】
従来、凹部が形成された基体の当該凹部の底面に、紫外線や短波長の可視光線を発するＬＥＤ素子を実装するとともに、蛍光体を含有する封止部材で前記ＬＥＤ素子を封止してなる発光装置が知られている（特許文献１）。このような発光装置としては、蛍光体として、赤色蛍光体、緑色蛍光体及び青色蛍光体を用いて、前記ＬＥＤ素子が発する紫外線や短波長の可視光線を吸収して励起された各蛍光体が発する赤色光、緑色光及び青色光が混ざり合って白色光を発するものが一般的である。【０００３】
この種の発光装置では、封止部材中の蛍光体の濃度が低いと、ＬＥＤ素子から発した紫外線や短波長の可視光線が蛍光体に吸収されずに封止部材を透過してしまうことがあり、この場合、ＬＥＤ素子から発した紫外線や短波長の可視光線の、より長波長の可視光線への変換効率が低下するため、発光装置の発光効率が低下する。更に、ＬＥＤ素子として紫外線を発するものを用いた場合は、人体に有害な紫外線が漏出するという問題が生じ、ＬＥＤ素子として紫色光を発するものを用いた場合は、発光装置の演色に影響するという問題が生じる。【０００４】
ＬＥＤ素子から発した紫外線や短波長の可視光線が蛍光体に吸収されずに封止部材を透過することを抑制するためには、封止部材中の蛍光体の濃度を高くするか、又は、封止部材の厚さを大きくすることが考えられる。しかし、封止部材中の蛍光体濃度を高くしたり、封止部材の厚さを大きくすると、蛍光体が発した長波長の可視光線が封止部材を透過しにくくなるので、発光装置の発光効率が低下する。さらに、蛍光体が分散した封止部材用の樹脂組成物は、複数個の発光装置分を一時に調整してから、所定量ずつ使用するものであるが、当該樹脂組成物中の蛍光体の分散状態は経時的に変化するので、蛍光体の濃度を高くすると、同じ仕様の発光装置であっても、発光色の色目や照度における個々の発光装置ごとのバラツキが生じやすくなる。また、蛍光体は高価であるので、蛍光体の濃度を高くすると、コスト増加の要因となる。
【先行技術文献】
【特許文献】
【０００５】
【特許文献１】特開２００５−１９１１９７号公報
【発明の概要】
【発明が解決しようとする課題】
【０００６】
また、一般的に蛍光体は直径が１０〜５０μｍの粒子状であるが、本発明者が鋭意検討したところ、一般的な蛍光体の殆どにおいて蛍光体が発する可視光線の、蛍光体粒子の中心部分の透過率が低いことが判明した。このため、ＬＥＤ素子が基体の凹部底面に実装され、蛍光体の下方向から紫外線や短波長の可視光線（励起光）が照射される場合、図１０に示すように、蛍光体５１から発したより長波長の可視光線（蛍光）の強度が高いのは、蛍光体５１の下方向や横方向であって、蛍光体５１の上方向における可視光線の強度は低いと考えられる。このため、基体凹部の底面にＬＥＤ素子が実装されている態様の発光装置は、蛍光体が発する可視光線の取り出し効率が充分でないことに想到した。【０００７】
更に、ＬＥＤ素子を基体の凹部底面に実装する場合、複数のＬＥＤ素子を実装しても、発光装置の所定の一点の輝度を上げることは難しく、発光源が一定の大きさを持ってしまうため、レンズ等を用いて配光制御を行う場合に不都合である。【０００８】
本発明はかかる問題点に鑑みなされたものであって、ＬＥＤ素子から発生した光を効率的に波長変換し、更に、波長変換後の光を効率的に取り出すことができる発光装置を提供することをその主たる所期課題としたものである。
【課題を解決するための手段】
【０００９】
すなわち本発明に係る発光装置は、上端面に開口する凹部が形成された基体と、前記凹部の側面に実装されたＬＥＤ素子と、その内部に蛍光体を含有し、前記ＬＥＤ素子を封止する封止部材と、を備えていることを特徴とする。なお、ここで、側面とは、前記凹部の中心軸に対して平行又は斜めに形成されている面を表すものである。【００１０】
このようなものであれば、ＬＥＤ素子が凹部の側面に実装されているので、ＬＥＤ素子が発した光は側方から蛍光体に衝突するので、励起された蛍光体が発する光の強度は、上下方向や横方向で高くなる。そして、凹部は基体の上端面に開口しているので、蛍光体が発した光のうち強度の高い上方向への光を効率的に発光装置の外に取り出すことができる。【００１１】
また、一般的に基体凹部は高さ方向より幅方向の方が大きいので、ＬＥＤ素子が凹部の側面に実装されていることにより、底面に実装されている場合に比べて、ＬＥＤ素子が発した光の光路を長くすることができ、その結果、ＬＥＤ素子が発した光が蛍光体に衝突する確率を高めることができる。このため、ＬＥＤ素子が発した光の波長変換効率を向上することができる。【００１２】
更に、ＬＥＤ素子が発した光の波長変換効率が高いと、ＬＥＤ素子が発した光のうちそのまま発光装置外に放射される光は少ないので、ＬＥＤ素子として紫外線を発するものを用いた場合であっても、人体に有害な紫外線が発光装置外に放射される危険性は低く、ＬＥＤ素子として紫色光を発するものを用いた場合であっても、当該紫色光が発光装置の演色に影響しにくい。【００１３】
また、本発明では、ＬＥＤ素子が発した光が蛍光体に衝突する確率が高いので、封止部材中の蛍光体の濃度を従来の１／６〜１／２０の低い濃度に抑えても、ＬＥＤ素子が発した光の波長変換効率を高く維持することができる。そして、封止部材中の蛍光体の濃度を低く抑えることにより、個々の発光装置ごとの蛍光体濃度のバラツキを抑制することができ、また、高価な蛍光体の使用量を減らすことができるので製造コストを低減することができる。【００１４】
更に、本発明では、ＬＥＤ素子が発した光が蛍光体に衝突する確率への、封止部材の厚さの影響は少ないので、封止部材の厚さを小さくすることができる。そして、封止部材の厚さを小さくすることにより、蛍光体が発した光が封止部材を透過しやすくなるので、発光装置の出力が向上する。【００１５】
前記凹部の少なくとも側面には、リフレクタが形成されていることが好ましい。このようなものであれば、ＬＥＤ素子が発した光のうち蛍光体に吸収されなかった光は、ＬＥＤ素子が実装された側面に対向する側面で反射されて、再度、蛍光体に向かって進行する。このため、ＬＥＤ素子が発した光が蛍光体に衝突する確率が更に上昇し、結果として、ＬＥＤ素子が発した光の波長変換効率を向上することができる。【００１６】
前記凹部としては、その中心軸に直交する断面形状が多角形であるものが、製造面から好ましく、また、凹部の中心軸に直交する断面形状が多角形であれば、凹部に複数の側面が形成されるので、複数のＬＥＤ素子を分散させて実装することができる。なかでも、前記多角形が、２の倍数の頂点を有するものである場合（例えば、四角形、六角形、八角形など）において、対向する側面の一方にＬＥＤ素子を実装し、対向する反対側の側面にはＬＥＤ素子を実装しないことにより、ＬＥＤ素子が発した光のうち蛍光体に吸収されなかった光を反射して、再度蛍光体に向かって進行させるのに好適である。さらに、６の倍数の頂点を有するものである場合（例えば、六角形など）、複数の側面に１面おきにＬＥＤ素子を実装することにより、上記の効果に加えて素子を均等に分散して配置することができ、輝度分布の均一性や放熱性に優れる。【００１７】
また、前記凹部が、側面と底面とが直交するものであると、ＬＥＤ素子が発した光のうち蛍光体に吸収されなかった光は、ＬＥＤ素子を実装した側面に対向する側面で反射されて、再度、蛍光体に向かい、これを繰り返す。このため、ＬＥＤ素子が発した光が蛍光体に衝突する確率がより一層上昇し、結果として、ＬＥＤ素子が発した光の波長変換効率を向上することができる。【００１８】
白色光の発光装置には、大きく分けて、青色光を発するＬＥＤ素子と黄色蛍光体とを組み合わせて、ＬＥＤ素子の発した青色光と当該青色光により励起された黄色蛍光体の発した黄色光とを混ぜ合わせることにより白色が得られるように構成したものと、紫外線又は短波長の可視光線を発するＬＥＤ素子と、赤色蛍光体、緑色蛍光体及び青色蛍光体とを組み合わせて、紫外線等により励起された各蛍光体が発する赤色光、緑色光及び青色光を混ぜ合わせることにより白色光が得られるように構成したものとが存在する。【００１９】
本発明に係る発光装置は、ＬＥＤ素子が発する光の波長変換効率に優れるものであるので、上記の２タイプの白色光の発光装置のうち、前記ＬＥＤ素子が、紫外線又は短波長の可視光線を発するものであり、前記蛍光体が、赤色光を発する蛍光体、緑色光を発する蛍光体、及び、青色光を発する蛍光体であるものに好適である。
【発明の効果】
【００２０】
このような構成の本発明によれば、ＬＥＤ素子から発生した光を効率的に波長変換し、更に、波長変換後の光を効率的に取り出すことができる発光装置を得ることができる。
【図面の簡単な説明】
【００２１】
【図１】本発明の一実施形態に係る発光装置の模式的縦断面図である。
【図２】同実施形態に係る発光装置の模式的横断面図である。
【図３】同実施形態における蛍光体の発光状態を示す模式図である。
【図４】同実施形態におけるＬＥＤ素子から発した光の一部の光路を示す光路説明図である。
【図５】他の実施形態に係る発光装置の模式的横断面図である。
【図６】他の実施形態に係る発光装置の模式的横断面図である。
【図７】他の実施形態に係る発光装置の模式的縦断面図である。
【図８】他の実施形態に係る発光装置の模式的縦断面図である。
【図９】他の実施形態に係る発光装置の模式的平面図である。
【図１０】従来の発光装置における蛍光体の発光状態を示す模式図である。
【発明を実施するための形態】
【００２２】
以下に本発明の一実施形態について図面を参照して説明する。
【００２３】
本実施形態に係る発光装置１は、図１及び図２に示すように、上端面２１に開口する凹部２２を有した基体２と、凹部２２の側面２２１に実装されたＬＥＤ素子３と、ＬＥＤ素子３を封止する封止部材４と、を備えたものである。
【００２４】
以下に各部を詳述する。
基体２は、上端面２１に開口し、その中心軸に直交する断面形状が正方形である直方体状の凹部２２を有するものであり、例えば、アルミナや窒化アルミニウム等の熱伝導率が高い絶縁材料、またはアルミニウム、銅、ステンレスなどの金属を部分的に樹脂などからなる絶縁材料で被覆した材料からなるものである。
【００２５】
基体２は、凹部２２の側面２２１に後述するＬＥＤ素子３を実装するものであるが、当該側面２２１には、ＬＥＤ素子３が電気的に接続されるための配線導体（図示しない。）が形成されている。この配線導体が基体２内部に形成された配線層（図示しない。）を介して発光装置１の外表面に導出されて外部電気回路基板に接続されることにより、ＬＥＤ素子３と外部電気回路基板とが電気的に接続される。
【００２６】
基体２の凹部２２の側面２２１及び底面２２２を含む内面には、銀、アルミニウム、金等の等の金属メッキ等が施されることにより高反射率の金属薄膜が形成されており、リフレクタ２３として機能している。
【００２７】
ＬＥＤ素子３は、紫外線や短波長の可視光線を発するものであり、例えば２００〜４３０ｎｍに放射ピークを有するものである。このようなＬＥＤ素子３は、例えば、サファイア基板や窒化ガリウム基板の上に窒化ガリウム系化合物半導体がｎ型層、発光層及びｐ型層の順に積層したものである。なかでも本実施形態で用いられるＬＥＤ素子３としては、ＬＥＤ素子３を実装する側面２２１に垂直な方向に大部分の光が放射されるものが好適である。
【００２８】
ＬＥＤ素子３は、窒化ガリウム系化合物半導体を凹部２２の側面２２１側に向けて、当該側面２２１に実装されている。実装方法は、例えば、半田バンプや金バンプ等（図示しない。）を用いてフリップチップ実装する方法や、ワイヤーボンディングによる実装が挙げられる。通常、水平ではない面にＬＥＤ素子を実装するのは困難であるので、実装面が水平な状態で実装した後に、面を直立させて基体２を完成させる方法が好ましい。
【００２９】
封止部材４は、内部に蛍光体５が分散しているものであり、凹部２２に充実されてＬＥＤ素子３を封止している。このような封止部材４としては、例えば、透光性及び耐熱性に優れ、ＬＥＤ素子３との屈折率差が小さいシリコーン樹脂等の透光性樹脂中に蛍光体５が分散しているものが挙げられる。
【００３０】
蛍光体５としては、赤色蛍光体、緑色蛍光体、青色蛍光体が用いられており、赤色蛍光体、緑色蛍光体及び青色蛍光体が、ＬＥＤ素子３が発した紫外線や短波長の可視光線によって励起されると、各蛍光体５が発する赤色光、緑色光及び青色光が混ざり合って白色光が生じる。
【００３１】
このような実施形態であれば、ＬＥＤ素子３が凹部２２の側面２２１に実装されているので、ＬＥＤ素子３が発した紫外線や短波長の可視光線（励起光）は側方から蛍光体５に照射され、図３に示すように、励起された蛍光体５が発する、より長波長の可視光線（蛍光）の強度は、上下方向や横方向で高くなる。そして凹部２２は基材２の上端面２１に開口しているので、蛍光体５が発した長波長の可視光線のうち光強度の高い上方向への光を効率的に発光装置１の外に取り出すことができる。なお、下方向や横方向に発せられた長波長の可視光線もリフレクタ２３で反射され、発光装置１の外に取り出される。
【００３２】
また、本実施形態では、基体２の凹部２２は高さ方向より幅方向の方が大きいので、ＬＥＤ素子３が凹部２２の側面２２１に実装されていることにより、底面２２２に実装されている場合に比べて、ＬＥＤ素子３が発した紫外線や短波長の可視光線の光路を長くすることができ、その結果、ＬＥＤ素子３が発した紫外線や短波長の可視光線が蛍光体５に衝突する確率を高めることができる。
【００３３】
更に、本実施形態では、凹部２２の側面２２１にリフレクタ２３が形成されているので、図４に示すように、ＬＥＤ素子３が発した紫外線や短波長の可視光線のうち蛍光体５に吸収されなかった光は、ＬＥＤ素子３が実装された側面２２１に対向する側面２２１で反射されて、再度、蛍光体５に向かい進行し、これを繰り返す。このため、ＬＥＤ素子３が発した紫外線や短波長の可視光線が蛍光体５に衝突する確率が上昇し、結果として、ＬＥＤ素子３が発した紫外線や短波長の可視光線の、より長波長の可視光線への変換効率を向上することができる。
【００３４】
また、本実施形態では、ＬＥＤ素子３が発した紫外線や短波長の可視光線の、より長波長の可視光線への変換効率が高く、ＬＥＤ素子３が発した紫外線や短波長の可視光線がそのまま発光装置１外に放射されることが少ないので、ＬＥＤ素子３として紫外線を発するものを用いた場合であっても、人体に有害な紫外線が発光装置１外に放射される危険性は低く、ＬＥＤ素子３として紫色光を発するものを用いた場合であっても、当該紫色光が発光装置１の演色に影響を及ぼしにくい。
【００３５】
更に、本実施形態では、ＬＥＤ素子３が発した紫外線や短波長の可視光線が蛍光体５に衝突する確率が高いので、封止部材４中の蛍光体５の濃度を従来の１／６〜１／２０の低い濃度に抑えても、ＬＥＤ素子３が発した紫外線や短波長の可視光線の、より長波長の可視光線への変換効率を高く維持することができる。このため、一般的に封止部材４中の蛍光体５濃度は１５〜２０重量％程度であるところ、これを０．７５〜３.３重量％程度まで低減することができる。そして、封止部材４中の蛍光体５の濃度を低く抑えることにより、発光色の色目や照度における個々の発光装置１ごとのバラツキも抑制することができ、また、高価な蛍光体５の使用量を減らすことができるので製造コストを低減することができる。
【００３６】
また、本実施形態では、ＬＥＤ素子３が発した紫外線や短波長の可視光線が蛍光体５に衝突する確率への、封止部材４の厚さの影響は少ないので、封止部材４の厚さを小さくすることができる。そして、封止部材４の厚さを小さくすることにより、蛍光体５が発した長波長の可視光線が封止部材４を透過しやすくなるので、発光装置１の発光効率が向上する。また、蛍光体５から下方向へ発せられた光は、底面２２２で反射され、基体２の開口部から取り出されるが、封止部材４の厚さが小さければ発光効率を向上することができる。
【００３７】
なお、本発明は前記実施形態に限られるものではない。
【００３８】
例えば、凹部２２の中心軸に直交する断面形状は正方形に限定されず、長方形や、または四角形以外の多角形、例えば六角形であってもよい。凹部２２がこのような形状を有する実施形態としては、例えば、図５に示すように、６つの側面２２１に１面おきに計３個のＬＥＤ素子３が実装されたものが挙げられる。また、多角形ではなく円形や楕円形であっても良く、円形の場合は、封止部材４のうち発光に寄与しにくい周辺部分が無くなるので好ましい。
【００３９】
このようなものであれば、封止部材４の中心部に位置する蛍光体５に対し複数方向からＬＥＤ素子３が発した光が照射されるので、発光装置１の中心部の輝度を飛躍的に高めることができる。
【００４０】
また、当該実施形態では、ＬＥＤ素子３が３つの側面２２１に分散して実装されているので、ＬＥＤ素子３から発生した熱も分散して放出することができ、局所的な温度上昇によるＬＥＤ素子３や蛍光体５の劣化を抑制することができる。
【００４１】
更に、当該実施形態では、６つの側面２２１のうち、ＬＥＤ素子３を実装した側面２２１に対向する側面２２１にはＬＥＤ素子３が実装されていないので、ＬＥＤ素子３から発した光のうち蛍光体５に吸収されなかった光が当該側面２２１において良好に反射される。
【００４２】
なお、本発明に係る発光装置１は、ＬＥＤ素子３を実装した側面２２１に対向する側面２２１にはＬＥＤ素子３が実装されていない態様に限定されるものではなく、図６に示すように、ＬＥＤ素子３を実装した側面２２１に対向する側面２２１にもＬＥＤ素子３が実装されていてもよい。
【００４３】
また、本発明に係る発光装置１は、図７に示すように、基体２の上端に凹部２２内側に向けて突出した突出部２４を備えていてもよい。ＬＥＤ素子３から発光装置１の上端面までの距離が短いＬＥＤ素子３の真上方向では、ＬＥＤ素子３から発した紫外線等が蛍光体５に衝突しない確率が比較的高いが、このような庇状の突出部２４があれば、ＬＥＤ素子３の真上方向において、ＬＥＤ素子３から発したものの、蛍光体５に衝突しなかった（長波長の可視光線に変換されなかった）紫外線等が、そのまま装置１外に射出されるのを防ぐことができる。なお、当該突出部２４は、図８に示すように、ＬＥＤ素子３が実装されていない凹部２２の側面上部にも設けられていてもよく、製造の容易さの観点からは、図９に示すように、凹部２２の側面上部の全周縁に亘って環状の突出部２４が設けられていてもよい。
【００４４】
蛍光体５は、封止部材４中に均一に分散されていなくてもよく、封止部材４の中心部だけに蛍光体５が含まれているように構成して、より点光源として機能するようにしてもよい。
【００４５】
また、封止部材４において、赤色蛍光体、緑色蛍光体、青色蛍光体が含まれる領域が層状になっていてもよく、例えば、凹部２２の底面２２２側から厚さ方向に、赤色蛍光体層、緑色蛍光体層、青色蛍光体層の順に積層していてもよく、ＬＥＤ素子３が実装されている側面２２１側から幅方向に、赤色蛍光体層、緑色蛍光体層、青色蛍光体層の順に積層していてもよい。このようなものであれば、青色蛍光体が発した青色光や緑色蛍光体が発した緑色光が他の蛍光体５に吸収されにくいので、エネルギー変換効率及び青色光や緑色光の取り出し効率を向上することができる。なお、幅方向に各蛍光体層が順に積層している場合であって、図５に示すように、複数のＬＥＤ素子３が実装されているときは、側面２２１側（外側）から順に、赤色蛍光体層、緑色蛍光体層、青色蛍光体層が環状（年輪状）に積層していてもよい。
【００４６】
凹部２２の側面２２１は底面２２２に直交していなくともよく、例えば、凹部２２が底面２２２から開口部に向けて拡開していてもよい。このように側面２２１が上向きに傾斜していれば、側面２２１に実装されたＬＥＤ素子３からは斜め上方向に光が射出され、より高い位置にある蛍光体５を励起することができるので、励起された蛍光体５が発した光が他の蛍光体５によって吸収されにくく、特に前方に放出される光の強度が大きい蛍光体５や、側面発光が大きいＬＥＤ素子３を採用する場合に発光効率を高めることができる。しかしながら、光の射出方向が横向きから大きく逸脱して上向きに近くなれば、通常の底面実装型のＬＥＤ発光装置と同様の状態になり、本発明の効果が失われる。逆に、凹部２２が底面２２２から開口部に向けて狭まっている構造となっていてもよい。この場合、蛍光体の後方散乱を有効に利用することができるが、開口部が小さくなりすぎると光の取出効率が低下する。これらのことから、底面２２２と側面２２１のなす角度は４５°から１３５°が適しており、より好ましくは８０°から１００°の範囲である。
【００４７】
蛍光体５が発した光の取り出し効率よりも、封止部材４における発光の均一性を優先させる場合は、封止部材４中の蛍光体５濃度を高くしてもよい。
【００４８】
リフレクタ２３は、白色セラミック層、白色の樹脂層、粗面化した金属薄膜等からなる拡散性を有するものであってもよく、このようなものであれば、封止部材４における発光の均一性を向上することができる。
【００４９】
また、ＬＥＤ素子３を凹部２２の側面２２１に実装するとともに、底面２２２にも実装してもよい。底面２２２に実装するＬＥＤ素子３として、ＬＥＤ素子３全体から光を射出するものを使用すれば、発光装置１の中心輝度をより高めることができるとともに、全光束を補うことも可能となる。
【００５０】
その他、本発明は上記の各実施形態に限られず、本発明の趣旨を逸脱しない限り、前述した種々の構成の一部又は全部を適宜組み合わせて構成してもよい。
【産業上の利用可能性】
【００５１】
本発明に係る発光装置によれば、ＬＥＤ素子から発生した光を効率的に波長変換し、更に、波長変換後の光を効率的に取り出すことができる。
【符号の説明】
【００５２】
１・・・発光装置
２・・・基体
２１・・・上端面
２２・・・凹部
２２１・・・側面
３・・・ＬＥＤ素子
４・・・封止部材
５・・・蛍光体
【図１】
2011016439.tif 000003
【図２】
2011016439.tif 000004
【図３】
2011016439.tif 000005
【図４】
2011016439.tif 000006
【図５】
2011016439.tif 000007
【図６】
2011016439.tif 000008
【図７】
2011016439.tif 000009
【図８】
2011016439.tif 000010
【図９】
2011016439.tif 000011
【図１０】
2011016439.tif 000012
【国際調査報告】
2011016439.tif 000013
2011016439.tif 000014
2011016439.tif 000015
2011016439.tif 000016